(57)【要約】      （修正有）【課題】女性や高齢者のように、引締め力を十分に発揮することができない者であっても、容易にベルト本体そのものを引締める力を発揮することができる腰用サポーターを提供する。【解決手段】腰用サポーター１０は、ベルト本体２０と、ベルト本体の左方向の端部にオス型面ファスナーからなる第１オス型止着部２５と、ベルト本体の右方向の端部の裏面にオス型面ファスナーからなる第２オス型止着部２７と、を有し、第１オス型止着部２５は、サポータを胴回りに巻きつけた時にベルト本体の裏面雌側右止着部２６Ｒに止着し、第２オス型止着部は、ベルト本体の雌側左止着部２４Ｌに止着する。【選択図】図１
0003226796.tif 000002
【実用新案登録請求の範囲】
【請求項１】
ベルト本体と、
前記ベルト本体の左方向の端部にオス型面ファスナーからなる第１オス型止着部と、
前記ベルト本体の右方向の端部の裏面にオス型面ファスナーからなる第２オス型止着部と、を有し、
前記第１オス型止着部は前記ベルト本体に止着するとともに、前記第２オス型止着部は、前記ベルト本体に止着する腰用サポーター。
【請求項２】
ベルト本体と、
前記ベルト本体の中央部にメッシュ部と、
前記メッシュ部の左脇に伸縮する左伸縮部と、
前記メッシュ部の右脇に伸縮する右伸縮部と、
前記左伸縮部のさらに左側にメス型面ファスナーである雌側左止着部と、前記右伸縮部のさらに右側にメス型面ファスナーである雌側右止着部と、
前記雌側右止着部の裏面に、メス型面ファスナーからなる裏面雌側右止着部と、
前記メス型面ファスナーである雌側左止着部の端部に、オス型面ファスナーからなる第１オス型止着部と、
前記裏面雌側右止着部の端部に、オス型面ファスナーからなる、第２オス型止着部と、を有し、
前記第１オス型止着部を、前記裏面雌側右止着部に止着し、
前記第２オス型止着部を、前記雌側左止着部に止着する腰用サポーター。
【請求項３】
前記第１オス型止着部は、前記第２オス型止着部よりも面積が小である請求項１または２記載の腰用サポーター。
【請求項４】
前記第２オス型止着部は、湾曲状を呈する凹状の第１湾曲部と、をさらに有し、
前記第１オス型止着部は、前記第１湾曲部の形状に倣うように構成されている請求項３記載の腰用サポーター。
【考案の詳細な説明】
【技術分野】
【０００１】
本考案は、腰に巻きつける腰用サポーターであり、特に腰周りを保護するサポーターに関するものである。
【背景技術】
【０００２】
骨盤を引き締め、固定することによって腰への負担を軽減する腰ベルトが知られている。このようなものとして、特開２０１７−１７９６６３号公報において、腰回りに巻回して止着し、骨盤を補強することができるベルト本体と、前記ベルト本体を引きつけるために、一方は前記ベルト本体のほぼ中央に固定し、他方は第１環部を有する右腰締め付けベルトと、ベルト本体を引きつけるために、一方は前記ベルト本体のほぼ中央に固定し、他方は第２環部を有する左腰締め付けベルトと、前記右腰締め付けベルトを引きつけるために、一方は前記ベルト本体に固定し、他方はベルト本体の端部と取り外し可能に構成され、さらに、前記右腰締め付けベルトにおける第１環部内に挿通された右作動ベルトと、前記左腰締め付けベルトを引きつけるために、一方は前記ベルト本体に固定し、他方はベルト本体の端部と取り外し可能に構成され、さらに、前記左腰締め付けベルトにおける第２環部内に挿通された左作動ベルトと、を具備する腰用サポーターが開示されている。
【０００３】
上記発明は、右作動ベルトと、左作動ベルトとを引き締めることによって、女性や高齢者のように、引締め力を十分に発揮することができない者であっても、容易に腰を引締める力を発揮することができるというものである。
【０００４】
しかしながら、女性や高齢者にとって、ベルト本体そのものを胴回りに止着するために、腰を引締める力を発揮することは、容易ではない。
【先行技術文献】
【特許文献】
【０００５】
【特許文献１】特開２０１７−１７９６６３号公報
【考案の概要】
【考案が解決しようとする課題】
【０００６】
本考案は前記の点に着目してなされたもので、女性や高齢者のように、引締め力を十分に発揮することができない者であっても、容易にベルト本体そのものを引締める力を発揮することができる腰用サポーターを提供することを課題とする。
【０００７】
第１観点における腰用サポーターは、ベルト本体と、ベルト本体の左方向の端部にオス型面ファスナーからなる第１オス型止着部と、ベルト本体の右方向の端部の裏面にオス型面ファスナーからなる第２オス型止着部と、を有し、第１オス型止着部はベルト本体に止着するとともに、第２オス型止着部は、ベルト本体に止着するというものである。
【０００８】
第２観点における腰用サポーターは、ベルト本体と、ベルト本体の中央部にメッシュ部と、メッシュ部の左脇に伸縮する左伸縮部と、メッシュ部の右脇に伸縮する右伸縮部と、左伸縮部のさらに左側にメス型面ファスナーである雌側左止着部と、右伸縮部のさらに右側にメス型面ファスナーである雌側右止着部と、雌側右止着部の裏面に、メス型面ファスナーからなる裏面雌側右止着部と、
メス型面ファスナーである雌側左止着部の端部に、オス型面ファスナーからなる第１オス型止着部と、裏面雌側右止着部の端部に、オス型面ファスナーからなる、第２オス型止着部と、を有し、第１オス型止着部を、前記裏面雌側右止着部に止着し、第２オス型止着部を、雌側左止着部に止着するというものである。
【０００９】
第３観点における腰用サポーターは、第１観点または第２観点において、第１オス型止着部は、第２オス型止着部よりも面積が小であるというものである。
【００１０】
第４観点における腰用サポーターは、第３観点において、第２オス型止着部は、湾曲状を呈する凹状の第１湾曲部と、をさらに有し、第１オス型止着部は、前記第１湾曲部の形状に倣うように構成されているというものである。
【考案の効果】
【００１１】
本考案によれば、女性や高齢者のように、引締め力を十分に発揮することができない者であっても、容易にベルト本体そのものを引締める力を発揮することができる腰用サポーターを提供することができる。
【図面の簡単な説明】
【００１２】
【図１】第１実施例における腰用サポーターの正面図。
【図２】第１実施例における腰用サポーターの背面図。
【図３】第１実施例における腰用サポーターの斜視図。
【図４】Ａは、第１実施例の腰用サポーターを腰に取り付けようとする状態図。Ｂは、第１オス型止着部を、裏面雌側右止着部に止着した状態図。
【図５】Ａは、さらに第２オス型止着部を裏面雌側左止着部に止着止着した状態図。する腰用サポーターを腰に取り付けようとする状態図。Ｂは、左作動ベルトと右作動ベルトを引き付けて、ベルト本体に固定した状態図。
【図６】Ａは、第２実施例の腰用サポーターを腰に取り付けようとする状態図。Ｂは、第３実施例の腰用サポーターを腰に取り付けようとする状態図。
【考案を実施するための形態】
【００１３】
第１実施例における腰用サポーター１０は、使用者ｐの腰回りに取り付けるものであって、ほぼ左右対称であり（図１参照）、使用者の腰に巻き付けるためのベルト本体２０と、ベルト本体２０の左方向Ｌの端部２０Ｌにオス型面ファスナーからなる第１オス型止着部２５と、ベルト本体２０の右方向Ｒの端部２０Ｒの裏面にオス型面ファスナーからなる第２オス型止着部２７と、を有し、第１オス型止着部２５は前記ベルト本体２０に止着するとともに、前記第２オス型止着部２７は、前記ベルト本体２０に止着するというものである。これらについては、後述する。
【００１４】
また、第１実施例における腰用サポーター１０は、ベルト本体２０と、背部から左側の腰回りを締め付けることができる左腰締め付けベルト３０Ｌと、背部から右側の腰回りを締め付けることができる右腰締め付けベルト３０Ｒとを有している。
【００１５】
ベルト本体２０の中央部は通気性を有し、網目状のメッシュ部２１と、その左脇に伸縮する左伸縮部２３Ｌと、を有している。また、上述の網目状のメッシュ部２１の右脇に伸縮する右伸縮部２３Ｒと、を有している。
【００１６】
また、前記左伸縮部２３Ｌのさらに左側Ｌにメス型面ファスナーである雌側左止着部２４Ｌを有している。また、前記右伸縮部２３Ｒのさらに右側Ｒにメス型面ファスナーである雌側右止着部２４Ｒを有している。
【００１７】
メス型面ファスナーである雌側左止着部２４Ｌの、左方向Ｌの端部２０Ｌに、オス型面ファスナーからなる第１オス型止着部２５を有している。第１オス型止着部２５は、上下方向Ｖにおいて、雌側左止着部２４Ｌの上下方向Ｖの高さのほぼ３分の１程度の高さであり、上下方向Ｖの中央付近に配置されている。また、角丸の曲線状の凸状を呈する湾曲部２５ａを有する。
【００１８】
また、上述の左伸縮部２３Ｌと、雌側左止着部２４Ｌとの境は、左境界部４２Ｌによって縫着されている。また、上述の右伸縮部２３Ｒと、雌側右止着部２４Ｒとの境は、右境界部４２Ｒによって縫着されている。
【００１９】
左伸縮部２３Ｌは、第１左伸縮部材２３Ｌ１と、第２左伸縮部材２３Ｌ２と、の２本の伸縮性を有する帯状の布類で構成されている。第１左伸縮部材２３Ｌ１と、第２左伸縮部材２３Ｌ２は、それらの一部が重なるように配置され、左縦枠４１Ｌと、左境界部４２Ｌとの間に配置され、左縦枠４１Ｌと、左境界部４２Ｌによって、第１左伸縮部材２３Ｌ１と、第２左伸縮部材２３Ｌ２の両端は縫着されている（図２参照）。
【００２０】
右伸縮部２３Ｒは、第１右伸縮部材２３Ｒ１と、第２右伸縮部材２３Ｒ２と、の２本の伸縮性を有する帯状の布類で構成されている。第１右伸縮部材２３Ｒ１と、第２右伸縮部材２３Ｒ２は、それらの一部が重なるように配置され、右縦枠４１Ｒと、右境界部４２Ｒとの間に配置され、右縦枠４１Ｒおよび右境界部４２Ｒによって、第１右伸縮部材２３Ｒ１と、第２右伸縮部材２３Ｒ２の両端は縫着されている（図２参照）。
【００２１】
ベルト本体２０は、使用者ｐの腰回りに巻きつけるために左右方向ＬＲに十分な長さを有するほぼ帯状を呈し、メッシュ部２１は、通気性を有し上記左伸縮部２３Ｌおよび右伸縮部２３Ｒに比べて上下方向Ｖに幅広な構成である。また、ベルト本体２０におけるメッシュ部２１のほぼ中央において、メッシュ部２１の上端に配置した上端部２２から、上下方向Ｖ方向に下がるようにそのメッシュ部２１の上下方向Ｖ方向の中間部分にかけて縦枠４０を配置している。
【００２２】
また、メッシュ部２１の左方向Ｌの端部において、上下方向Ｖ方向に対して、傾いて、左縦枠４１Ｌを配置している。また、メッシュ部２１の右方向Ｒの端部において、上下方向Ｖ方向に対して傾いて、右縦枠４１Ｒを配置している。上述の縦枠４０および左縦枠４１Ｌ、右縦枠４１Ｒはそれぞれテープ状の布類をベルト本体２０に縫着している。
【００２３】
また、左腰締め付けベルト３０Ｌの一端はベルト本体２０に配置された縦枠４０に固定されている。また、左腰締め付けベルト３０Ｌは環状を呈する第１環部５０Ｌにおける環状部分に、移動自由に挿通され、かつ折り返すようにし、その左腰締め付けベルト３０Ｌの他端は、右縦枠４１Ｒに固定されている。
【００２４】
また、右腰締め付けベルト３０Ｒの一端はベルト本体２０に配置された縦枠４０に固定されている。また、右腰締め付けベルト３０Ｒは環状を呈する第２環部５０Ｒにおける環状部分に、移動自由に挿通され、かつ折り返すようにし、その右腰締め付けベルト３０Ｒの他端は、左縦枠４１Ｌに固定されている。
【００２５】
第１環部５０Ｌにおける環状部部分に、その第１環部５０Ｌを介して、左腰締め付けベルト３０Ｌを引き付ける左作動ベルト６０Ｌを有している。また、第２環部５０Ｒにおける環状部部分に、その第２環部５０Ｒを介して、右腰締め付けベルト３０Ｒを引き付ける右作動ベルト６０Ｒを有している。
【００２６】
また、左作動ベルト６０Ｌの端部である左作動ベルト端部６１Ｌの裏側に、オス型面ファスナーを配置している。このオス型面ファスナーは、上述の雌側左止着部２４Ｌに取り外し可能に止着することができる。
【００２７】
また、右作動ベルト６０Ｒの端部である右作動ベルト端部６１Ｒの裏側に、オス型面ファスナーを配置している。このオス型面ファスナーは、上述の雌側右止着部２４Ｒに取り外し可能に止着することができる。
【００２８】
また、上述の雌側左止着部２４Ｌの裏面に、雌型面ファスナーからなる裏面雌側左止着部２６Ｌを有している。また、上述の雌側右止着部２４Ｒの裏面に、雌型面ファスナーからなる裏面雌側右止着部２６Ｒを有している（図１、２参照）。
【００２９】
裏面雌側右止着部２６Ｒの右方向Ｒの端部である端部２０Ｒに、オス型面ファスナーからなる、第２オス型止着部２７を有している。上述の第１オス型止着部２５は、第２オス型止着部２７の面積よりも小である。第２オス型止着部２７はアルファベットのＣの字状を呈するものであり、ベルト本体２０の右方向Ｒの端部である端部２０Ｒの曲線に倣うように曲線状の曲線部２７ａを有する。また、ベルト本体２０の上下方向Ｖにおける中央付近において、凹状であって、湾曲状を呈する第１湾曲部２７ｂを有する。この、第１湾曲部２７ｂは、上述の第１オス型止着部２５における湾曲部２５ａの形状に倣うように構成されている。すなわち、上述の第１オス型止着部２５における湾曲部２５ａを、第１湾曲部２７ｂに配置した場合に、それらは嵌合するように構成されている。これにより例えば、１枚のオス型面ファスナーから、第１オス型止着部２５と、第２オス型止着部２７を、作成することができるので製作コストを削減することができる。
【００３０】
また、上述の第１オス型止着部２５は、第１実施例における腰用サポーター１０を使用者ｐに胴回りに巻き付けたときに、ベルト本体２０における裏面雌側右止着部２６Ｒに取り外し可能に止着することができる。また、第２オス型止着部２７は、第１実施例における腰用サポーター１０を使用者ｐに胴回りに巻き付けたときに、ベルト本体２０における雌側左止着部２４Ｌに取り外し可能に止着することができる。
【００３１】
また、上述の伸縮する左伸縮部２３Ｌと、右伸縮部２３Ｒと、は、いずれも強力な弾力性を有する伸縮可能な部分である。従って、左伸縮部２３Ｌおよび右伸縮部２３Ｒは弾力性に基づく緊締力で腰部を固定して補強することができるように、ベルト本体２０の左右方向ＬＲに伸縮可能な弾力性を有する帯状の布類を張設して形成されており、その布類の弾力性による緊締力は、第１オス型止着部２５と裏面雌側右止着部２６Ｒとの止着および、第２オス型止着部２７と雌側左止着部２４Ｌとの止着によって、上述の左伸縮部２３Ｌおよび右伸縮部２３Ｒの弾力性による緊締力によって腰周りを保護することができる。従って、このように、ベルト本体２０は、使用者ｐの腰回りに巻回して止着することができる。
【００３２】
上記構成の腰用サポーター１０を使用者ｐに取り付ける方法を説明する。まず、使用者ｐは腰回りに腰用サポーター１０をあてがう。その後、ベルト本体２０を引き付けて、第１オス型止着部２５を、ベルト本体２０における裏面雌側右止着部２６Ｒに止着する。
【００３３】
その後、さらに使用者ｐは、第２オス型止着部２７を、ベルト本体２０における雌側左止着部２４Ｌに止着する。このように、使用者ｐは、第１段階で、ベルト本体２０を引き付けて、第１オス型止着部２５を、裏面雌側右止着部２６Ｒに止着し、第２段階で、第２オス型止着部２７を、雌側左止着部２４Ｌに止着することで、いわば、第１段階が仮止めした状態で、第２段階で、完全にベルト本体２０を巻きつけて固定することで、使用者ｐの力の入れ具合を２段階に分けて分散することができるので、容易に、ベルト本体２０を使用者ｐの胴回りに取り付けることができる。
【００３４】
その後、使用者ｐは、左作動ベルト６０Ｌおよび右作動ベルト６０Ｒを、引っ張り、ベルト本体２０に固定する。これにより、左腰締め付けベルト３０Ｌおよび右腰締め付けベルト３０Ｒを引き締めることができる。このとき、第１環部５０Ｌおよび第２環部５０Ｒが、いわば動滑車と同様の役割を有することから、左作動ベルト６０Ｌおよび右作動ベルト６０Ｒを、引っ張る力が半減され、力のない、女性や高齢者でも容易に腰を引き締めて補強することができる。
【００３５】
また、第２実施例の腰用サポーター１０’と、第１実施例の腰用サポーター１０との相違は、第２実施例の第１オス型止着部２５’の配置である。第２実施例の第１オス型止着部２５’は、ベルト本体２０の左方向Ｌの端部である端部２０Ｌに配置されるとともに、その端部２０Ｌから外方に突出する構成である。なお、その他は、取り付け方法も含め第１実施例の腰用サポーター１０と同様である。したがって、１枚のオス型面ファスナーから、第２実施例の第１オス型止着部２５’と、第２オス型止着部２７を、作成することができるので製作コストを削減することができる。
【００３６】
また、第３実施例の腰用サポーター１０″と、第１実施例の腰用サポーター１０との相違は、第３実施例の第１オス型止着部２５″と、第３実施例の第２オス型止着部２７″のとの形状の相違である。すなわち１枚のオス型面ファスナーから、溝部２７Ｃ″を有するように、第３実施例の第１オス型止着部２５″の形状に切り取り、第３実施例の第２オス型止着部２７″の構成にしたものでる。従って、第３実施例の第１オス型止着部２５″は、第１実施例の第１オス型止着部２５よりも長く構成されている。なお、その他は、取り付け方法も含め第１実施例の腰用サポーター１０と同様である。したがって、１枚のオス型面ファスナーから、第３実施例の第１オス型止着部２５″と、第３実施例の第２オス型止着部２７″を、作成することができるので製作コストを削減することができる。
【符号の説明】
【００３７】
１０  第１実施例の腰用サポーター
１０’  第２実施例の腰用サポーター
１０″  第３実施例の腰用サポーター
２０  ベルト本体
２０Ｌ  ベルト本体の左方向の端部
２０Ｒ  ベルト本体の右方向の端部
２１  メッシュ部
２３Ｌ  左伸縮部
２３Ｒ  右伸縮部
２４Ｌ  雌側左止着部
２４Ｒ  雌側右止着部
２５  第１オス型止着部
２５ａ  湾曲部
２６Ｌ  裏面雌側左止着部
２６Ｒ  裏面雌側右止着部
２７  第２オス型止着部
２７ｂ  第１湾曲部
６０Ｌ  左作動ベルト
６０Ｒ  右作動ベルト
【図１】
0003226796.tif 000003
【図２】
0003226796.tif 000004
【図３】
0003226796.tif 000005
【図４】
0003226796.tif 000006
【図５】
0003226796.tif 000007
【図６】
0003226796.tif 000008